(57)【要約】【課題】媒体アダプタに収容した被印刷媒体から供給されるテープに印刷を行う際の印字不良を防ぐ。【解決手段】長手方向に巻かれたテープ４２を含む被印刷媒体４０を収容した媒体アダプタ１０から供給されるテープ４２に印刷を行う印刷装置１は、媒体アダプタ１０を収容可能なアダプタ収容部２ａを有する装置筐体２と、アダプタ収容部２ａを開閉可能な態様で装置筐体２に取り付けられた蓋４とを備える。当該印刷装置１の蓋４は、閉じているときに媒体アダプタ１０と対向する面に、媒体アダプタ１０に押圧荷重を印加する押圧部４０３を有する。【選択図】図３
2019142062.tif 000002
【特許請求の範囲】
【請求項１】
長手方向に巻かれたテープを含む被印刷媒体を収容した媒体アダプタから供給される前記テープに印刷を行う印刷装置であって、
前記媒体アダプタを収容可能なアダプタ収容部を有する装置筐体と、
前記アダプタ収容部を開閉可能な態様で前記装置筐体に取り付けられた蓋とを備え、
前記蓋は、閉じているときに前記媒体アダプタと対向する面に、前記媒体アダプタに押圧荷重を印加する押圧部を有する、
ことを特徴とする印刷装置。
【請求項２】
請求項１に記載の印刷装置において、
前記媒体アダプタは、
前記被印刷媒体を収容する媒体収容部を有するアダプタ本体と、前記アダプタ本体の前記媒体収容部を開閉可能な態様で前記アダプタ本体に取り付けられたアダプタ蓋とを含み、
前記押圧部は、前記アダプタ蓋に押圧荷重を印加する
ことを特徴とする印刷装置。
【請求項３】
請求項１又は請求項２に記載の印刷装置において、
前記アダプタ収容部は、前記媒体アダプタに収容された前記テープにおける幅方向の所定の位置が、複数種類の前記媒体アダプタのそれぞれを収納したときに前記アダプタ収容部内において前記テープの幅方向で同一の位置となるよう前記媒体アダプタを支持する支持部を有する、
ことを特徴とする印刷装置。
【請求項４】
請求項１乃至請求項３の何れか１項に記載の印刷装置において、
前記収容部は、
収容する前記被印刷媒体に含まれる前記テープの幅が異なり、かつ収容した前記テープの幅方向となる方向の外形寸法が異なる複数種類の前記媒体アダプタを収容可能な凹形状を有する、
ことを特徴とする印刷装置。
【請求項５】
請求項４に記載の印刷装置において、
前記蓋の前記押圧部は、前記媒体アダプタに収容された前記テープにおける幅方向の所定の位置からの距離が、前記複数種類の媒体アダプタのそれぞれで同一の距離となる前記媒体アダプタの部位に設けられた荷重受け部と当接して前記押圧荷重を前記媒体アダプタに印加する、
ことを特徴とする印刷装置。
【請求項６】
請求項４又は請求項５に記載の印刷装置において、
前記アダプタ収容部は、前記媒体アダプタに収容された前記テープにおける幅方向の中心位置が、前記複数種類の媒体アダプタのそれぞれを収納したときに前記アダプタ収容部内において前記テープの幅方向で同一の位置となるように前記媒体アダプタを支持する支持部を更に備える、
ことを特徴とする印刷装置。
【請求項７】
請求項４乃至請求項６の何れか１項に記載の印刷装置において、
前記押圧部は、
前記アダプタ収容部に収容された前記媒体アダプタが、前記複数種類の媒体アダプタのうちの幅が最も狭い前記テープを収容する媒体アダプタを除く他の媒体アダプタである場合、前記媒体アダプタに設けられた凹部の底面と当接して前記媒体アダプタに押圧荷重を印加する
ことを特徴とする印刷媒体。
【請求項８】
請求項１乃至請求項７の何れか１項に記載の印刷装置において、
前記蓋は、前記蓋の内面と前記装置筐体の前記アダプタ収容部の底面との角度が変更する態様で前記装置筐体に回転自在に取り付けられている、
ことを特徴とする印刷装置。
【請求項９】
請求項２に記載の印刷装置であって、
前記媒体アダプタは、前記アダプタ蓋が、前記アダプタ本体の前記底面と、前記アダプタ蓋を閉じたときに前記アダプタ本体の前記底面と対向する内面との角度が変更される態様で回転自在に前記アダプタ本体に取り付けられており、
前記押圧部は、前記媒体アダプタに収容された前記被印刷媒体から見て前記アダプタ蓋の回転の支点となる位置とは反対側の位置に設定された荷重受け部と当接して押圧荷重を印加する
ことを特徴とする印刷装置。
【請求項１０】
請求項１に記載の印刷装置に装着して印刷用のテープを供給するための媒体アダプタであって、
前記テープを含む被印刷媒体を収容する媒体収容部を有するアダプタ本体と、
前記アダプタ本体の前記媒体収容部を開閉可能な態様で前記アダプタ本体に取り付けられたアダプタ蓋とを備え、
前記アダプタ蓋は、前記媒体アダプタを収容する前記印刷装置が備える前記押圧部からの押圧荷重を受ける荷重受け部を有する、
ことを特徴とする媒体アダプタ。
【請求項１１】
請求項１０に記載の媒体アダプタであって、
前記アダプタ蓋は、
前記アダプタ本体の前記媒体収容部の底面と、前記アダプタ蓋を閉じたときに前記アダプタ本体の前記媒体収容部の底面と対向する内面との角度が変更される態様で回転自在に前記アダプタ本体に取り付けられている、
ことを特徴とする媒体アダプタ。
【請求項１２】
請求項１１に記載の媒体アダプタであって、
前記アダプタ蓋は、
前記内面の端部となる位置に設けられ、前記内面の面内中心側に移動可能であり、かつ移動させた場合に弾性復元力が生じるフック部と、前記内面の裏面であって前記フック部と前記内面の面内中心との間となる位置に設けられている、
ことを特徴とする媒体アダプタ。
【請求項１３】
請求項１２に記載の媒体アダプタであって、
前記アダプタ本体は、前記印刷装置に収容したときに、該印刷装置に設けられた前記テープの幅方向における前記媒体アダプタの位置を定める支持部と当接するヒレ部と、前記アダプタ蓋を閉じたときに前記フック部と対応する位置に設けられたフック受け部を有し、
前記アダプタ蓋の前記フック部と前記アダプタ本体の前記フック受け部とは、前記アダプタ蓋が閉じた状態である場合には前記アダプタ蓋が開く方向への前記アダプタ蓋の移動を規制する態様で係合し、かつ前記アダプタ蓋の前記フック部を前記内面の面内中心側に移動させることで係合が解除されるよう構成されている
ことを特徴とする媒体アダプタ。
【請求項１４】
請求項１０乃至請求項１３の何れか１項に記載の媒体アダプタにおいて、
前記アダプタ本体と前記アダプタ蓋とは、収容する前記被印刷媒体における前記テープの幅方向の端部のうちの一方の端部側の側面が前記アダプタ本体の底面と対向し、前記被印刷媒体における他方の端部側の側面が前記アダプタ蓋の内面と対向した状態で前記被印刷媒体を収容するよう構成されており、
前記媒体アダプタは、前記印刷装置において印刷を行うことが可能な、前記テープの幅が異なる複数種類の被印刷媒体のうちの所定の幅の被印刷媒体を収容するよう構成されており、
前記複数種類の被印刷媒体のうちの、幅が最も狭い被印刷媒体とは異なる他の被印刷媒体を収容する前記媒体アダプタは、前記アダプタ蓋における前記内面の裏面であって前記押圧部から押圧荷重を受ける領域に凹部が設けられており、
前記凹部が設けられ、かつテープの幅が異なる被印刷媒体を収容する複数の前記媒体アダプタは、前記凹部の底面の形状及び寸法が同一であり、深さが異なる
ことを特徴とする媒体アダプタ。
【請求項１５】
請求項１４に記載の媒体アダプタであって、
前記凹部が設けられ、かつテープの幅が異なる被印刷媒体を収容する複数の前記媒体アダプタは、収容する前記被印刷媒体が有する前記テープにおける幅方向の中心位置から前記凹部の底面までの距離が同一である
ことを特徴とする媒体アダプタ。
【発明の詳細な説明】
【技術分野】
【０００１】
本明細書の開示は、印刷装置及び媒体アダプタに関する。
【背景技術】
【０００２】
従来から、長手方向に巻かれてロール形状を有した印刷用のテープに文字、図形等を印刷してラベルを作成するラベルプリンタが知られている。この種のラベルプリンタには、箱状の部材にテープを含む被印刷媒体が収容されたテープカートリッジを装着し、該テープカートリッジから供給されるテープに文字、図形等を印刷するものがある。
【０００３】
特許文献１には、被印刷媒体を収容したテープカートリッジを収容するラベルプリンタが記載されている。
【先行技術文献】
【特許文献】
【０００４】
【特許文献１】特開２０１４−０２８４４８号公報
【発明の概要】
【発明が解決しようとする課題】
【０００５】
ラベルプリンタに使用される印刷用のテープには、幅、印刷面の色などの組み合わせが異なる様々な種類のものが存在する。ユーザは、用途や好みに応じて選択したテープを含む被印刷媒体をユーザ自身で印刷装置に装着することで、種類の異なる複数の被印刷媒体を使い分けることができる。
【０００６】
また、被印刷媒体が収容されたテープカートリッジを装着する印刷装置の場合、テープカートリッジ内の被印刷媒体から印刷部に供給されるテープの幅方向の位置が、テープの幅毎に定められている。
【０００７】
しかしながら、印刷に用いるテープに応じて印刷装置に装着する媒体アダプタ（テープカートリッジ）を交換する場合、媒体アダプタの寸法及び印刷装置における収容部の寸法の公差等により、媒体アダプタ毎に、印刷部に供給されるテープの幅方向の位置に変動が生じる。このため、媒体アダプタから印刷部に供給されるテープの位置が不安定となり、印字不良を起こすことがある。
【０００８】
本発明の一側面に係る目的は、上記の実情を踏まえたものであり、媒体アダプタに収容した被印刷媒体から供給されるテープに印刷を行う際の印字不良を防ぐ技術を提供することである。
【課題を解決するための手段】
【０００９】
本発明の一態様に係る印刷装置は、長手方向に巻かれたテープを含む被印刷媒体を収容した媒体アダプタから供給される前記テープに印刷を行う印刷装置であって、前記媒体アダプタを収容可能なアダプタ収容部を有する装置筐体と、前記アダプタ収容部を開閉可能な態様で前記装置筐体に取り付けられた蓋とを備え、前記蓋は、閉じているときに前記媒体アダプタと対向する面に、前記媒体アダプタに押圧荷重を印加する押圧部を有する。
【００１０】
また、本発明の一態様に係る媒体アダプタは、上記の一態様に係る印刷装置に装着して印刷用のテープを供給するための媒体アダプタであって、前記テープを含む被印刷媒体を収容する媒体収容部を有するアダプタ本体と、前記アダプタ本体の前記媒体収容部を開閉可能な態様で前記アダプタ本体に取り付けられたアダプタ蓋とを備え、前記アダプタ蓋は、前記媒体アダプタを収容する前記印刷装置が備える前記押圧部からの押圧荷重を受ける荷重受け部とを有する。
【発明の効果】
【００１１】
上記の態様によれば、媒体アダプタに収容した被印刷媒体から供給されるテープに印刷を行う際の印字不良を防ぐことが可能となる。
【図面の簡単な説明】
【００１２】
【図１】蓋４を閉じた状態における印刷装置１の平面図である。
【図２】蓋４を開けた状態における印刷装置１の平面図である。
【図３】図１のＡ−Ａ線断面図である。
【図４】媒体アダプタ１０及び被印刷媒体４０の構成を説明するための斜視図である。
【図５】図３におけるアダプタ蓋３０のフック部３２とアダプタ本体２０のフック受け部２８との係合部分を拡大した断面図である。
【図６】収容する感熱テープ４２のテープ幅が異なる複数種類の媒体アダプタ１０−１〜１０−４のそれぞれを印刷装置１に装着したときの蓋４の内面４ａから媒体アダプタ１０−１〜１０−４までの距離の違いを説明するための図である。
【図７】蓋４の内面４ａから媒体アダプタにおける押圧荷重を受ける面までの距離と媒体アダプタに印加される押圧荷重との関係を説明する図である。
【図８】一実施形態に係る媒体アダプタ１０−１〜１０−４における荷重受け部の構成を説明する図である。
【図９】凹形状の底面Ｒ３を荷重受け部とする媒体アダプタ１０−３が受ける押圧荷重を説明する図である。
【図１０】アダプタ蓋３０に荷重受け部として設ける凹部の形状を示す部分断面斜視図である。
【図１１】媒体アダプタ１０−２〜１０−４のそれぞれに設ける凹部の形状の特徴を説明する図である。
【発明を実施するための形態】
【００１３】
まず、図１〜図３を参照しながら、一実施形態に係る印刷装置の構成について説明する。
【００１４】
図１は、蓋４を閉じた状態における印刷装置１の平面図である。図２は、蓋４を開けた状態における印刷装置１の平面図である。図３は、図１のＡ−Ａ線断面図である。
【００１５】
図１〜図３に示した印刷装置１は、被印刷媒体４０が有する感熱テープ４２に印刷を行うラベルプリンタである。感熱テープ４２は、印刷用のテープの一例である。以降では、感熱テープ４２を使用する感熱方式のラベルプリンタを印刷装置１の例として説明するが、印刷装置１の印刷方式は特に限定されない。例えば、印刷装置１は、インクリボンを使用する熱転写方式のラベルプリンタであってもよい。また、ラベルプリンタである印刷装置１は、サーマルプリンタに限らない。例えば、印刷装置１は、インクジェットプリンタ、レーザプリンタ等であってもよい。また、印刷装置１は、シングルパス（ワンパス）方式で印刷を行ってもよく、マルチパス（スキャン）方式で印刷を行ってもよい。
【００１６】
印刷装置１は、装置筐体２と、入力部３と、蓋４と、窓５と、表示部６と、を備える。また、図示はしていないが、装置筐体２には、電源コード接続端子、外部機器接続端子、記憶媒体挿入口等が設けられている。
【００１７】
入力部３は、装置筐体２の上面に設けられている。入力部３は、入力キー、十字キー、変換キー、決定キーなどの種々のキーを備える。蓋４は、装置筐体２上に開閉可能な態様で配置されている。蓋４は、図示していないロック機構により、図１に示した閉じた状態に保持される。利用者（ユーザ）は、蓋４に設けられたボタン４ｒを押下してロック機構を解除することで、図２に示すように、蓋４を開けることができる。蓋４には、蓋４が閉じた状態でも印刷装置１に被印刷媒体４０が収容されているか否かを目視で確認可能とするために、窓５が形成されている。また、蓋４は、表示部６を有している。
【００１８】
表示部６は、例えば、液晶ディスプレイ、有機ＥＬ（electro-luminescence）ディスプレイなどである。表示部６は、入力部３からの入力に対応する文字等、各種設定のための選択メニュー、各種処理に関するメッセージ等、を表示する。なお、表示部６は、タッチパネル付きのディスプレイ等、入力部３の一部として利用可能な機能を持つものであってもよい。
【００１９】
装置筐体２は、蓋４が閉じた状態である場合に蓋４の下方となる領域に、媒体アダプタ収容部２ａと、プラテンローラ７と、サーマルヘッド８とが設けられている。媒体アダプタ収容部２ａには、被印刷媒体４０を収容した媒体アダプタ１０が収容される。なお、媒体アダプタ１０及び被印刷媒体４０については、後述する。
【００２０】
プラテンローラ７は、媒体アダプタ１０から供給される感熱テープ４２を搬送する搬送部である。プラテンローラ７は、図示しない搬送用モータの回転により回転する。搬送用モータは、例えば、ステッピングモータ、直流（ＤＣ）モータなどである。プラテンローラ７は、媒体アダプタ１０から繰り出された感熱テープ４２をサーマルヘッド８との間に狭持しながら回転することで、感熱テープ４２を搬送方向に搬送する。
【００２１】
サーマルヘッド８は、感熱テープ４２に印刷を行う印刷ヘッドである。サーマルヘッド８は、感熱テープ４２の搬送方向に直交する主走査方向に配列された複数の発熱素子を有し、発熱素子で感熱テープ４２を加熱することにより一ラインずつ印刷を行う。サーマルヘッド８は、感熱テープ（テープ）４２に印刷する印刷部の一例である。
【００２２】
本実施形態の印刷装置１では、上記のように、装置筐体２の媒体アダプタ収容部２ａに媒体アダプタ１０が収容される。媒体アダプタ１０は、感熱テープ４２を含む被印刷媒体４０を収容するためのケースであり、利用者が被印刷媒体４０を交換できるように、被印刷媒体４０を収容する。つまり、本実施形態に係る媒体アダプタ１０は、利用者が媒体アダプタ１０に対して被印刷媒体４０を適宜出し入れすることを前提に設計されている。このため、本実施形態の媒体アダプタ１０は、図３に示すように、アダプタ本体２０と、アダプタ蓋３０とを備える。被印刷媒体４０は、アダプタ本体２０とアダプタ蓋３０とにより区画される媒体アダプタ１０の内部空間に収容される。
【００２３】
アダプタ蓋３０は、媒体アダプタ１０の内部空間を開閉可能な態様でアダプタ本体２０に取り付けられている。アダプタ蓋３０が閉じた状態である場合には、アダプタ蓋３０のフック部３２とアダプタ本体２０のフック受け部２８とが係合し、アダプタ蓋３０が閉じた状態に保持される。アダプタ蓋３０のフック部３２は、断面が略Ｕ字形状であり、フック受け部２８から離間させる方向に移動させることが可能である。アダプタ蓋３０が閉じた状態であるときにフック部３２をフック受け部２８から離間させる方向に移動させると、フック部３２とフック受け部２８との係合が解除され、アダプタ蓋３０を開く方向に移動させることが可能となる。
【００２４】
また、印刷装置１は、幅が異なる複数種類の感熱テープ４２のそれぞれに印刷を行うことが可能となっている。このため、本実施形態の印刷装置１における装置筐体２のアダプタ収容部２ａは、収容する被印刷媒体４０（感熱テープ４２）の幅が異なる複数種類の媒体アダプタ１０を収容可能な凹形状となっている。これら複数種類の媒体アダプタ１０は、それぞれ、図２に示した平面形状が同一であり、感熱テープ４２の幅方向となる厚さ方向（図３のｚ方向）の寸法が異なる。
【００２５】
アダプタ収容部２ａに媒体アダプタ１０を収容して印刷を行う場合、サーマルヘッド８に供給する感熱テープ４２の幅方向への位置ずれを防ぐために、媒体アダプタ１０の厚さ方向の位置ずれを抑制することが可能な状態で媒体アダプタ１０を保持することが望まれる。このため、厚さ方向の寸法が異なる複数種類の媒体アダプタ１０を利用可能な印刷装置１では、図３に示したように、アダプタ本体２０の外周側面に設けたヒレ部２９ａ，２９ｂを、アダプタ収容部２ａに設けた支持部２０１，２０２及び蓋４に設けた支持部４０１，４０２で挟持して媒体アダプタ１０を保持する。
【００２６】
アダプタ本体２０のヒレ部２９ａ，２９ｂは、それぞれ、アダプタ本体の外周側面から、厚さ方向（図３のｚ方向）と直交する方向に張り出した平板状の部位である。
【００２７】
アダプタ収容部２ａに設けた支持部２０１，２０２は、それぞれ、アダプタ収容部２ａの底面２ｂにおける、アダプタ本体２０のヒレ部２９ａ，２９ｂと対応する位置に立設した柱状の部位である。第１の支持部２０１はアダプタ本体２０の第１のヒレ部２９ａと対応する位置に設けられ、第２の支持部２０２はアダプタ本体２０の第２のヒレ部２９ｂと対応する位置に設けられる。支持部２０１，２０２の底面２ｂからの高さは、例えば、幅が最も広い感熱テープ４２（被印刷媒体４０）を収容する媒体アダプタ１０におけるアダプタ本体２０の外側底面からヒレ部２９ａ，２９ｂまでの距離以上であり、かつ蓋４を閉じたときに媒体アダプタ１０と蓋４とが干渉しない高さとする。
【００２８】
蓋４に設けた支持部４０１，４０２は、それぞれ、蓋４の底面４ａにおける、アダプタ本体２０のヒレ部２９ａ，２９ｂと対応する位置に立設した柱状の部位である。第１の支持部４０１はアダプタ本体２０の第１のヒレ部２９ａと対応する位置に設けられ、第２の支持部４０２はアダプタ本体２０の第２のヒレ部２９ｂと対応する位置に設けられる。支持部４０１，４０２の底面４ａからの高さは、蓋４を閉じたときに底面４ａからヒレ部２９ａ，２９ｂまでの距離と一致させる。
【００２９】
上記のように、収容する感熱テープの幅が異なる複数種類の媒体アダプタ１０は、それぞれ、図２に示した平面形状が同一であり、感熱テープ４２の幅方向となる厚さ方向（図３のｚ方向）の寸法が異なる。しかしながら、各アダプタ本体２０に設ける第１のヒレ部２９ａの厚さ（図３のｚ方向の寸法）、及び第２の及び第２のヒレ部２９ｂの厚さを、それぞれ同一の厚さにしておけば、厚さ方向の寸法が異なる複数種類の媒体アダプタ１０を、柱状の支持部２０１，２０２，４０１，４０２により支持することが可能となる。また、収容する感熱テープ４２の幅と、サーマルヘッド８に供給する際の感熱テープ４２の幅方向の位置とに基づいて、アダプタ本体２０の外周側面におけるヒレ部２９ａ，２９ｂの厚さ方向の位置を定めることで、媒体アダプタ１０を適切な位置で保持することが可能となる。
【００３０】
アダプタ本体２０に設けたヒレ部２９ａ，２９ｂを柱状の支持部２０１，２０２，４０１，４０２により支持する場合には、形成時の公差等により、ヒレ部２９ａ，２９ｂと支持部２０１，２０２，４０１，４０２との間に隙間が生じることがある。ヒレ部と支持部との間に隙間が生じると、印刷時に発生する振動等により、サーマルヘッド８に搬送される感熱テープ４２の幅方向の位置が変動し、印字不良が起こることがある。このため、本実施形態の印刷装置１は、蓋４を閉じたときにアダプタ収容部２ａと対向する蓋４の内面４ａに、媒体アダプタ１０のアダプタ蓋３０に押圧荷重Ｐを印加する押圧部４０３を設けている。押圧部４０３は、基部４０３ａと、押さえ部４０３ｂと、応力発生部４０３ｃとを含む。
【００３１】
基部４０３ａは、蓋４の内面４ａに対する位置を変更可能な態様で蓋４の内面４ａに取り付けられた平板状の部材である。基部４０３ａは、例えば、蓋４の内面４ａに対する基部４０３ａの主面の角度を変更可能な態様で、蓋４の内面４ａ内面４ａに取り付けられる。
【００３２】
押さえ部４０３ｂは、アダプタ収容部２０２ａに媒体アダプタ１０を収容した状態で蓋４を閉じた場合に、媒体アダプタ１０（アダプタ蓋３０）における荷重受け部Ｒと当接し、媒体アダプタ１０に押圧荷重を印加する部位である。押さえ部４０３ｂは、基部４０３ａと一体であってもよいし、基部４０３ａに取り付けられた基部４０３ａとは別個に形成した部材であってもよい。
【００３３】
応力発生部４０３ｃは、弾性変形により媒体アダプタ１０に印加する応力（押圧荷重）を発生させるものである。応力発生部４０３ｃは、蓋４の内面４ａに対する基部４０３ａの主面の角度が小さくなった場合に、角度を大きくする方向の弾性復元力が発生する態様で設けておく。応力発生部４０３ｃには、例えば、圧縮コイルばね、トーションばね（ねじりばね）、ブロック状のゴム等を利用可能である。また、応力発生部４０３ｃは、例えば、基部４０３ａの一部を板ばね状に加工して設けてもよい。
【００３４】
このように、本実施形態の印刷装置１では、媒体アダプタ１０を収容した状態で蓋４を閉じると、押圧部４０３から媒体アダプタ１０（アダプタ蓋３０）に押圧荷重Ｐが印加される。このため、媒体アダプタ１０のヒレ部２９ａ，２９ｂと、印刷装置１の支持部２０１，２０２，４０１，４０２との間に隙間が生じた場合にも、押圧荷重Ｐにより媒体アダプタ１０の厚さ方向（感熱テープ４２の幅方向）への移動を規制することが可能となる。よって、本実施形態の印刷装置１と媒体アダプタ１０とを組み合わせることにより、感熱テープ４２の幅方向の位置が変動すること等による印字不良を防ぐことが可能となる。
【００３５】
また、押圧部４０３から媒体アダプタ１０（アダプタ蓋３０）に押圧荷重Ｐを印加する場合、アダプタ蓋３０における荷重受け部Ｒの位置は、閉じた状態であるアダプタ蓋３０における被印刷媒体４０と対応する面の面内中心（図示せず）と、フック部３２との間となる位置とすることが好ましい。荷重受け部Ｒの位置をフック部３２寄りに設けることにより、例えば、アダプタ蓋３０が閉じた状態になっていない場合に、押圧荷重Ｐによりアダプタ蓋３０を閉じた状態にすることが可能となる。すなわち、本実施形態の印刷装置１によれば、開閉可能な媒体アダプタ１０のアダプタ蓋１０の閉じ忘れによる被印刷媒体４０の幅方向への移動や回転不良を防ぐことが可能となり、感熱テープ４２の搬送不良による印字不良を防ぐことが可能となる。
【００３６】
次に、図４及び図５を参照しながら、一実施形態に係る媒体アダプタ１０の構成について説明する。
【００３７】
図４は、媒体アダプタ１０及び被印刷媒体４０の構成を説明するための斜視図である。図５は、図３におけるアダプタ蓋３０のフック部３２とアダプタ本体２０のフック受け部２８との係合部分を拡大した断面図である。
【００３８】
媒体アダプタ１０は、図４に示すように、アダプタ本体２０と、アダプタ蓋３０とを備えている。アダプタ蓋３０は、アダプタ本体２０に対し、アダプタ本体２０の媒体収容部２２を開閉自在に取り付けられている。本実施形態の媒体アダプタ１０では、アダプタ本体２０の蓋支持部２７においてアダプタ蓋３０の回転支点部３１を回転可能に支持することにより、アダプタ蓋３０を開閉可能にしている。アダプタ蓋３０は、アダプタ本体２０における媒体収容部２２の底面２２ａと、アダプタ蓋３０を閉じたときに媒体収容部２２の底面２２ａと対向する内面３３ａとの角度が変更する態様で回転する。
【００３９】
また、アダプタ蓋３０には、図５に示すように、閉じた状態である場合に、アダプタ本体２０に設けたフック受け部２８と係合し、アダプタ蓋３０を閉じた状態に保持するフック部３２が設けられている。被印刷媒体４０は、アダプタ本体２０と閉じた状態のアダプタ蓋３０とにより区画される媒体アダプタ１０の内部空間内に収容される（図３を参照）。
【００４０】
媒体アダプタ１０は、被印刷媒体４０が有する感熱テープ４２のテープ幅に合わせて設計されている。媒体アダプタ１０が収容すべき感熱テープ４２のテープ幅は、アダプタ本体２０の領域２０ａに表示される。領域２０ａは、アダプタ本体２０における媒体収容部２２の外側となる部位のうちの、媒体収容部２２の底面２２ａと同じ方向を向いた面に設定される。例えば、テープ幅６ｍｍの感熱テープ４２を含む被印刷媒体４０を収容する媒体アダプタ１０の場合、アダプタ本体２０の領域２０ａには「６」或いは「６ｍｍ」等のテープ幅を示す情報が表示される。
【００４１】
本実施形態の媒体アダプタ１０を利用可能な印刷装置１は、異なるテープ幅に対応した複数種類の媒体アダプタを収容することができる。印刷装置１は、具体的には、例えば、幅６ｍｍのテープ用の媒体アダプタ１０の他に、幅９ｍｍのテープ用の媒体アダプタ、幅１２ｍｍのテープ用の媒体アダプタ、幅１８ｍｍのテープ用の媒体アダプタなどを収容することができる。利用者は、媒体アダプタにおけるアダプタ本体２０の領域２０ａに表示された情報により、各アダプタがどの幅のテープ用であるかを容易に識別することが可能となる。
【００４２】
媒体アダプタ１０に収容する被印刷媒体４０は、例えば、感熱テープ４２と、バラけ防止シート４３と、アテンションシート４４とを備えている。
【００４３】
感熱テープ４２は、長手方向に巻かれて環形状を有した印刷用のテープである。感熱テープ４２は、例えば、図示しない紙管等の筒状部材に巻き付けてある。感熱テープ４２を巻きつける筒状部材は、例えば、媒体アダプタ１０のアダプタ本体２０に設けた第１の支持部２３ａと回転自在に嵌合する中空部分を有する。以下の説明では、長手方向に巻かれて環形状となっている感熱テープ４２のことを「環形状の感熱テープ４２」ともいう。
【００４４】
感熱テープ４２は、例えば、セパレータと、粘着層と、基材と、発色層と、保護層とがこの順に積層されている。セパレータは粘着層を覆うように剥離可能に基材に貼り付けられている。セパレータの材料は、例えば、紙であるが、紙に限らず、ＰＥＴ（ポリエチレンテレフタレート）であってもよい。粘着層は、基材に塗布された粘着材である。基材の材料は、例えば、有色のＰＥＴである。発色層は、熱エネルギーの加熱により発色する感熱発色層である。保護層の材料は、例えば、透明なＰＥＴである。
【００４５】
なお、感熱テープ４２は、上記の構成に限らない。例えば、感熱テープ４２は、セパレータを有さず、粘着層が露出したものであってもよい。また、感熱テープ４２は、保護層を有さず、発色層が露出したものであってもよい。
【００４６】
バラけ防止シート４３は、環形状の感熱テープ４２における側面の一方（言い換えると、感熱テープ４２の幅方向における一方の端部４２ｂ側となる面）に貼り付けられた粘着シートである。
【００４７】
バラけ防止シート４３は、感熱テープ４２の形状を維持するための粘着シートである。感熱テープ４２は湿度変化により膨張することがある。しかしながら、バラけ防止シート４３を感熱テープ４２の側面（端部４２ｂ側の面）に貼り付けることで、膨張に伴う感熱テープ４２の形状変化、つまり、感熱テープ４２がバラけしてしまうことを抑制することができる。また、バラけ防止シート４３を貼り付けることにより、被印刷媒体４０の落下等により感熱テープ４２に衝撃が加わった場合にも、感熱テープ４２の形状変化を抑制することができる。
【００４８】
バラけ防止シート４３は、感熱テープ４２を巻きつけた筒状部材の中空部分と同じ大きさの開口、又は筒状部材の中空部分よりも大きい開口を有する環形状の粘着シートである。バラけ防止シート４３は、開口部が感熱テープ４２（筒状部材）の中空部分と対向するように環形状の感熱テープ４２の側面（端部４２ｂ側の面）に貼り付けられる。バラけ防止シート４３は、環形状の感熱テープ４２の側面を覆うような大きさを有することが望ましい。つまり、バラけ防止シート４３の直径は、環形状の感熱テープ４２における直径（最大径）よりも大きいことが望ましい。これにより、環形状の感熱テープ４２全体を粘着面で保持することができるため、形状をより確実に維持することができる。
【００４９】
また、バラけ防止シート４３の形状は、環形状の感熱テープにおける側面の形状に近似した形状であることが望ましい。つまり、環形状の感熱テープ４２における側面が円環形状であれば、バラけ防止シート４３も円環形状を有することが望ましい。これにより、バラけ防止シート４３における感熱テープ４２の形状維持に貢献しない領域を小さくすることが可能となり、バラけ防止シート４３の大きさを小さくすることができる。また、バラけ防止シート４３における粘着面の露出も少なくなるため、バラけ防止シート４３への塵、埃などの付着も抑えることができる。
【００５０】
アテンションシート４４は、環形状の感熱テープ４２における側面の他方（言い換えると、感熱テープ４２の幅方向における他方の端部４２ｃ側となる側面）に貼り付けられた粘着シートである。
【００５１】
アテンションシート４４は、被印刷媒体４０の種類（より厳密には、感熱テープ４２の種類）を示す粘着シートである。感熱テープ４２には、テープ幅、及び被印刷面の色の違いにより、様々な種類が存在する。アテンションシート４４には、種類を特定するための情報が含まれているため、アテンションシート４４を感熱テープ４２の側面に貼り付けることで、利用者は被印刷媒体４０の種類を容易に特定することが可能となる。
【００５２】
アテンションシート４４は、感熱テープ４２を巻きつけた筒状部材の中空部分よりも小さい開口４４ａを有する環形状の粘着シートである。アテンションシート４４の開口４４ａは、例えば、媒体アダプタ１０のアダプタ本体２０に設けた第２の支持部２３ａと回転自在に嵌合する形状及び寸法で形成されている。アテンションシート４４は、開口４４ａが感熱テープ４２を巻きつけた筒状部材の中空部分に対向するように、環形状の感熱テープ４２の側面に貼り付けられる。また、アテンションシート４４は、例えば、被印刷媒体４０の販売時など、少なくとも被印刷媒体４０の使用が開始される前においては、環形状の感熱テープ４２の側面よりも小さいことが望ましい。これにより、感熱テープ４２の側面４２ｂのうちアテンションシート４４に覆われる領域が小さくなるため、感熱テープ４２の残量の確認が容易になる。
【００５３】
被印刷媒体４０を媒体アダプタ１０に収容する際、利用者は、感熱テープ４２の幅方向における一方の端部側となる被印刷媒体４０の側面がアダプタ本体２０の媒体収容部２２の底面２２ａと対向する向きで、被印刷媒体４０を媒体収容部２２に収容する。被印刷媒体４０がバラけ防止シート４３及びアテンションシート４４を含む場合、利用者は、図３に示したように、バラけ防止シート４３をアダプタ本体２０の媒体収容部２２における底面２２ａと対向させて被印刷媒体４０を媒体収容部２２に収容する。この際、利用者は、バラけ防止シート４３の開口及び感熱テープ４２を巻きつけた筒状部材の中空部分と、媒体収容部２２における底面２２ａに設けた第１の支持部２３ａとを嵌合させる。更に、利用者は、アテンションシート４４の開口と、第１の支持部２３ａ上に設けられた第２の支持部２３ｂとを嵌合させる。これにより、被印刷媒体４０は、アダプタ本体２０に設けた媒体支持部２３（第１の支持部２３ａ及び第２の支持部２３ｂ）に、底面２２ａと略垂直な方向を回転軸として回転可能に支持される。また、利用者は、被印刷媒体４０における感熱テープ４２の外周側の一端を引き出し、該感熱テープ４２の端部をアダプタ本体２０に設けたテープ繰出溝２４に挿入する。被印刷媒体４０が媒体支持部２３に支持され、かつ感熱テープ４２の端部がテープ繰出溝２４に挿入された状態で、利用者がアダプタ蓋３０を閉じると、アダプタ本体２０と閉じた状態のアダプタ蓋３０とで区画された媒体アダプタ１０の内部空間に被印刷媒体４０が収納される。このとき、被印刷媒体４０は、アテンションシート４４（言い換えると、感熱テープ４２の幅方向における他方の端部側となる被印刷媒体４０の側面）がアダプタ蓋３０と対向する。
【００５４】
アダプタ蓋３０を閉じると、図５に示したように、アダプタ蓋３０のフック部３２がアダプタ本体２０のフック受け部２８と係合する。フック部３２は、アダプタ蓋３０の媒体収容部３０の底面３３ａから立ち上がる縦断面が略Ｕ字形状の部位であり、該Ｕ字形状の部位における端部から略直交する方向に張り出した操作部（図示せず）を有する。
【００５５】
フック部３２は、アダプタ蓋３０の媒体収容部３３の底面３３ａにおける面内中心側に移動可能であり、移動させることで弾性復元力が発生する。フック部３２のうちの、操作部と接続する部位における外方を向いた面３２ａには、面３２ａから突出した爪部３２ｂ，３２ｃが設けられている。爪部３２ｂ，３２ｃは、アダプタ蓋３０が閉じた状態となった場合に、フック受け部２８を境としてアダプタ蓋３０が開く方向とは反対側の方向となる位置に設けられている。アダプタ蓋３０が閉じた状態となっている場合、爪部３２ｂ，３２ｃは、面３２ａからフック受け部２８の先端面（フック部３２の面３２ａと対向する面）の位置よりも遠方側に突出した状態となる。このため、アダプタ蓋３０が閉じた状態である場合、アダプタ蓋３０は、フック部３２の爪部３２ｂ，３２ｃとフック受け部２８との係合により開く方向への移動が規制され、閉じた状態で保持される。
【００５６】
また、アダプタ蓋３０が閉じた状態であるときに、例えば、利用者がフック部３２の先端に設けた操作部に対しアダプタ蓋３０の底面３３ａにおける面内中心側の荷重Ｑを加えると、フック部３２は面内中心側に移動する。そして、フック部３２が図５に二点鎖線で示した係合解除位置に到達すると、フック部３２の爪部３２ｂ，３２ｃとフック受け部２８との係合が解除され、アダプタ蓋３０が開く方向に移動可能な状態となる。
【００５７】
更に、本実施形態のアダプタ蓋３０では、爪部３２ｂ，３２ｃのうちの操作部から遠方側となる面３２ｔを、フック部３２の面３２ａとの角度が鈍角となる傾斜面にしている。これにより、アダプタ蓋３０を閉じる際にフック受け部２８の先端部分がフック部３２の爪部３２ｂ，３２ｃに引っかかることを防げ、アダプタ蓋３０をスムーズに閉じることが可能となる。
【００５８】
次に、本実施形態の媒体アダプタ１０におけるアダプタ本体２０及びアダプタ蓋３０の構成をより詳細に説明する。
【００５９】
本実施形態の媒体アダプタ１０におけるアダプタ本体２０は、図４に示すように、ガイド２１と、媒体収容部２２と、媒体支持部２３と、テープ繰出溝２４と、リブ２５と、蓋支持部２７と、ヒレ部２９ａとを有する。
【００６０】
ガイド２１は、媒体収容部２２からテープ繰出溝２４を通して媒体アダプタ１０の外部に繰出された感熱テープ４２の搬送方向を規制する規制部である。ガイド２１は、アダプタ本体２０のうちの、印刷装置１に媒体アダプタ１０を装着した場合に印刷後のテープ４２が搬送される位置に設けられている。ガイド２１は、感熱テープ４２の幅方向に並んで対向する第１の規制面２１ａと第２の規制面２１ｂとを有する。第１の規制面２１ａは、感熱テープ４２の幅方向における一方の端部４２ｂ側への感熱テープ４２の移動を規制する規制面である。第２の規制面２１ｂは、感熱テープ４２の幅方向における他方の端部４２ｃ側への感熱テープ４２の移動を規制する規制面である。第１の規制面２１ａと第２の規制面２１ｂとは、テープ幅（感熱テープ４２の幅）と略同一の間隔で対向するよう設けられる。媒体アダプタ１０から繰出された感熱テープ４２は、ガイド２１の第１の規制面２１ａ又は第２の規制面２１ｂと当接することにより、テープ幅方向への移動が規制される。
【００６１】
媒体収容部２２は、媒体アダプタ１０に区画される内部空間における内壁面の一部となる凹形状を有する。媒体収容部２２の底面２２ａには、被印刷媒体４０を回転可能に支持する媒体支持部２３（第１の支持部２３ａ及び第２の支持部２３ｂ）と、リブ２５とが設けられている。
【００６２】
媒体支持部２３は、媒体アダプタ１０に被印刷媒体４０が収容された状態で、被印刷媒体４０が有する感熱テープ４２（筒状部材）等の開口に挿通され、被印刷媒体４０を回転可能に支持する。媒体支持部２３は、媒体収容部２２の底面２２ａから突出した第１の支持部２３ａと、第１の支持部２３ａの先端面２３ｃから更に突出した第２の支持部２３ｂとを含む。
【００６３】
第１の支持部２３ａは、感熱テープ４２を巻きつける筒状部材の中空部分、及びバラけ防止シート４３の開口と嵌合する部分である。このため、第１の支持部２３ａの外径は、筒状部材の中空部分の内径、及びバラけ防止シート４３の開口の内径よりも小さい。また、第１の支持部２３ａの底面２２ａからの高さは、媒体アダプタ１０が対応した感熱テープ４２のテープ幅よりも低い。
【００６４】
第２の支持部２３ｂは、アテンションシート４４の開口と嵌合する部分である。このため、第２の支持部２３ｂの外径は、アテンションシート４４の開口の内径よりも小さい。また、第２の支持部２３ｂの底面２２ａからの高さは、媒体アダプタ１０が対応した感熱テープ４２のテープ幅よりも高い。
【００６５】
アダプタ本体２０のリブ２５は、媒体収容部２２に収容された被印刷媒体４０の側面（バラけ防止シート４３）と当接して被印刷媒体４０を支持する。すなわち、リブ２５は、媒体収容部２２の底面２２ａと被印刷媒体４０の側面（バラけ防止シート４３）との接触面積を低減させる。これにより、媒体アダプタ１０内部で被印刷媒体４０が回転するときにアダプタ本体２０と被印刷媒体４０との間の摩擦抵抗が減少する。よって、被印刷媒体４０のスムーズな回転が実現でき、感熱テープ４２を安定して繰り出し、搬送させることが可能となる。特に、図３のようにリブ２５を媒体支持部２３に対して放射状に設けることで、被印刷媒体４０の径方向の各位置に均等に摩擦力を働かせることができる。
【００６６】
更に、アダプタ本体２０の媒体収容部２２は、図３に示すように、底面２２ａのリブ２５における放射状に伸びる部位の間となる位置に平坦な領域２０ｂを有している。領域２０ｂには、例えば、収容されるべき被印刷媒体４０のテープ幅を特定するための情報が印刷されたシールが貼付される。つまり、領域２０ｂには、媒体アダプタ１０がテープ幅何ｍｍの感熱テープ４２を収容する媒体アダプタであるかが示される。これにより、利用者は、媒体アダプタ１０に被印刷媒体４０を装着するときに、領域２０ｂの情報とアテンションシート４４の情報とを比較することで、被印刷媒体４０のテープ幅が媒体アダプタ１０に対応しているテープ幅であるか否かをひと目で確認することができる。このためで、誤ったテープ幅の被印刷媒体４０を媒体アダプタ１０に装着することを防止することができる。
【００６７】
テープ繰出溝２４は、媒体アダプタ１０に収容された被印刷媒体４０の感熱テープ４２を媒体アダプタ１０の外部に繰り出す（引き出す）ために設けた溝である。テープ繰出溝２４は、媒体収容部２２からアダプタ本体２０の外側面に向かうにつれて、溝内を通過させる感熱テープ４２における厚さ方向の寸法が小さくなるテーパ状を有する。テープ繰出溝２４は、媒体アダプタ１０における感熱テープ４２の繰出口となる位置で、感熱テープ４２の厚さ方向への移動と、幅方向における一方の端部４２ｂ側への移動とを規制する規制部として機能する。
【００６８】
蓋支持部２７は、アダプタ蓋３０の回転支点部３１を回転可能に支持する支持部である。蓋支持部２７は、アダプタ本体２０のうちの、媒体支持部２３から見て、ガイド２１、テープ繰出溝２４、及びフック受け部２８（図示せず）等が設けられた方向とは反対側の端部に設けられる。
【００６９】
一方、本実施形態の媒体アダプタ１０におけるアダプタ蓋３０は、図４に示すように、回転支点部３１と、フック部３２と、媒体収容部３３と、リブ３５と、突出部３６とを有する。
【００７０】
回転支点部３１は、アダプタ本体２０の蓋支持部２７と回転可能に係合し、アダプタ本体２０に対してアダプタ蓋３０が回転するときに支点となる部位である。本実施形態の媒体アダプタ１０におけるアダプタ蓋３０の回転支点部３１とアダプタ本体２０の蓋支持部２７とは、上記のように、アダプタ本体２０の底面２２ａと、アダプタ蓋３０を閉じたときに底面２２ａと対向するアダプタ蓋３０の底面３３ａとの角度が変更される態様でアダプタ蓋３０が回転するよう構成されている。
【００７１】
フック部３２は、上記のように、アダプタ蓋３０を閉じた状態にしたときに、アダプタ本体２０に設けたフック受け部２８と係合する。フック部３２とアダプタ本体２０のフック受け部２８とは、アダプタ蓋３０の開く方向への移動を規制する態様で係合する。また、アダプタ蓋３０が保持された状態でフック部３２を所定の方向（アダプタ本体２０の媒体支持部２３がある方向）に移動させると、フック部３２とフック受け部２８との係合が解除され、アダプタ蓋３０を開くことが可能となる。
【００７２】
アダプタ蓋３０の媒体収容部３３は、媒体アダプタ１０に区画される内部空間における内壁面の一部となる凹形状を有する。媒体収容部３３の底面３３ａのうち、アダプタ蓋３０を閉じた状態でアダプタ本体２０の第２の支持部２３ｂと対向する位置は、開口している。また、底面３３ａにおける該開口の周囲には、リブ３５が設けられている。
【００７３】
アダプタ蓋３０のリブ３５は、アダプタ蓋３０の媒体収容部３３における底面３３ａと被印刷媒体４０の側面（アテンションシート４４）との接触面積を低減させる。このため、媒体アダプタ１０内部で被印刷媒体４０が回転するときにアダプタ蓋３０と被印刷媒体４０との間の摩擦抵抗が減少する。よって、被印刷媒体４０のスムーズな回転が実現でき、感熱テープ４２を安定して搬送させることが可能となる。特に、図３のようにリブ３５を放射状に設けることで、被印刷媒体４０の径方向の各位置に均等に摩擦力を働かせることができる。
【００７４】
アダプタ蓋３０の突出部３６は、アダプタ蓋３０を閉じた状態としたときに、アダプタ本体２０のテープ繰出溝２４の出口部分（媒体アダプタ１０の外部に最も近い部分）と対向する位置に設けられている。アダプタ蓋３０の突出部３６は、テープ繰出溝２４を通り媒体アダプタ１０の外部に繰り出される感熱テープ４２の幅方向における他方の端部４２ｃ側への感熱テープ４２の移動を規制する規制部である。すなわち、本実施形態の媒体アダプタ１０は、アダプタ蓋３０を閉じると、アダプタ本体２０のテープ繰出溝２４とアダプタ蓋３０の突出部３６とにより、内部空間に収容した感熱テープ４２を媒体アダプタの外部に繰り出す繰出口が形成される。そして、本実施形態の媒体アダプタ１０では、繰出口から外部に繰り出される感熱テープ４２の幅方向への移動を、アダプタ本体２０における繰出口となる部位と、アダプタ蓋３０の繰出口となる位置に設けた突出部３６とにより規制する。
【００７５】
このように、本実施形態に係る媒体アダプタ１０は、アダプタ本体２０に設けたテープ繰出溝２４と、アダプタ本体２０に対して開閉自在に取り付けられたアダプタ蓋３０の突出部３６とにより形成される繰出口から、媒体アダプタ１０に収容された感熱テープ４２を外部に繰り出す。しかも、アダプタ本体２０に設けたテープ繰出溝２４は、アダプタ本体２０における媒体収容部２２の深さ方向と対応した感熱テープ４２の幅方向における一端が開口した略Ｕ字形状となっている。このため、利用者が被印刷媒体４０を媒体アダプタ１０に収容する際には、アダプタ本体２０の媒体収容部２２に被印刷媒体４０を収容するとともに被印刷媒体４０から繰り出した感熱テープ４２をテープ繰出溝２４に挿入した状態でアダプタ蓋３０を閉めるだけでよい。よって、本実施形態の媒体アダプタ１０によれば、利用者が被印刷媒体４０を収容する作業の作業性が向上する。
【００７６】
また、本実施形態の媒体アダプタ１０は、アダプタ蓋３０における感熱テープ４２の繰出口と対応する位置に媒体収容部３３の底面３３ａから突出した突出部３６が設けられている。このため、アダプタ蓋３０を閉じたときには、繰出口におけるアダプタ本体２０からアダプタ蓋３０までの距離が、アダプタ本体２０の媒体収容部２２の底面２２ａからアダプタ蓋３０の媒体収容部３３の底面３３ａまでの距離よりも短くなる。しかも、本実施形態の媒体アダプタ１０では、上記のように、アダプタ蓋３０のフック部３２とアダプタ本体２０のフック受け部２８とが係合することにより、アダプタ蓋３０が閉じた状態で保持される。したがって、本実施形態の媒体アダプタ１０では、繰出口における感熱テープ４２の幅方向への移動（特にアダプタ蓋３０側への移動）を規制することが可能となる。よって、本実施形態の媒体アダプタ１０によれば、媒体アダプタ１０の外部に繰り出された感熱テープ４２の斜行による印刷位置のずれを防ぐことが可能となる。
【００７７】
更に、本実施形態の媒体アダプタ１０では、アダプタ本体２０における第１の支持部２３ａの上に、第１の支持部２３ａよりも外径の小さい第２の支持部２３ｂを設けている。また、媒体アダプタ１０に収容する被印刷媒体４０は、感熱テープ４２の幅方向における一方の端部の開口寸法を第１の支持部２３ａの外径と対応させ、他方の端部の開口寸法を第２の支持部２３ｂの外形と対応させている。このため、本実施形態の媒体アダプタ１０によれば、被印刷媒体４０が誤った向きで装着されることを防止することができる。
【００７８】
なお、本実施形態の媒体アダプタ１０を利用可能な印刷装置１におけるアダプタ収容部２ａは、上記のように、異なるテープ幅に対応した複数種類の媒体アダプタ１０を収容することができる。印刷装置１は、具体的には、例えば、幅６ｍｍのテープ用の媒体アダプタ１０の他に、幅９ｍｍのテープ用の媒体アダプタ、幅１２ｍｍのテープ用の媒体アダプタ、幅１８ｍｍのテープ用の媒体アダプタなどを収容することができる。そして、本実施形態の媒体アダプタ１０は、被印刷媒体４０が有する感熱テープ４２のテープ幅に合わせて設計されている。収容する被印刷媒体４０における感熱テープ４２のテープ幅が異なる複数種類の媒体アダプタ１０は、それぞれ、テープ幅と対応する厚さ方向の寸法が異なる。このため、印刷装置１に本実施形態に係る媒体アダプタ１０を装着した場合、媒体アダプタ１０に収容する感熱テープ４２のテープ幅に応じて、蓋４の内面４ａから媒体アダプタ１０（アダプタ蓋３０）までの距離が異なる。
【００７９】
図６は、収容する感熱テープ４２のテープ幅が異なる複数種類の媒体アダプタ１０−１〜１０−４のそれぞれを印刷装置１に装着したときの蓋４の内面４ａから媒体アダプタ１０−１〜１０−４までの距離の違いを説明するための図である。
【００８０】
図６には、収容する感熱テープ４２のテープ幅が異なる複数種類の媒体アダプタ１０の例として、４個の媒体アダプタ１０−１〜１０−４を例示している。第１の媒体アダプタ１０−１は、例えば、テープ幅が６ｍｍの感熱テープ４２を有する被印刷媒体４０−１を収容する媒体アダプタである。第２の媒体アダプタ１０−２は、例えば、テープ幅が９ｍｍの感熱テープ４２を有する被印刷媒体４０−２を収容する媒体アダプタである。第３の媒体アダプタ１０−３は、例えば、テープ幅が１２ｍｍの感熱テープ４２を有する被印刷媒体４０−３を収容する媒体アダプタである。第４の媒体アダプタ１０−４は、例えば、テープ幅が１８ｍｍの感熱テープ４２を有する被印刷媒体４０−４を収容する媒体アダプタである。
【００８１】
印刷装置１に媒体アダプタ１０−１〜１０−４のそれぞれを収容する（装着する）場合、図６に示すように、アダプタ収容部２ａの底面２ｂから感熱テープ４２における幅方向の中心位置ＴＣまでの距離が所定の距離ＤＣとなるよう収容する。これにより、感熱テープ４２に印刷する際に駆動させるサーマルヘッド８の発熱素子を、テープ幅と中心位置Ｔｃに基づいて容易に選択して制御することが可能となる。しかしながら、媒体アダプタ１０−１〜１０−４は、それぞれ、テープ幅の方向と対応した厚さ方向（図６のｚ方向）の寸法が異なる。このため、本実施形態の印刷装置１では、媒体アダプタ１０−１〜１０−４のそれぞれに、収容する被印刷媒体４０が有する感熱テープ４２の幅方向の中心位置ＴＣからの距離が同一であり、かつ厚さが同一のヒレ部２９ａ，２９ｂを設ける。なお、図６には、ヒレ部２９ａ，２９ｂのうちの一方のヒレ部２９ｂのみを示している。
【００８２】
すなわち、媒体アダプタ１０−１〜１０−４は、それぞれ、被印刷媒体４０が有する感熱テープ４２の幅方向の中心位置ＴＣがアダプタ収容部２ａの底面２ｂから距離ＤＣとなる位置で保持すると、底面２ｂからヒレ部２９ａ，２９ｂまでの距離が一致する。このため、アダプタ収容部２ａの底面２ｂに設けた柱状の支持部２０２と蓋４の内面４ａに設けた支持部４０２とによりヒレ部２９ｂを挟持することにより、テープ幅の異なる複数種類の媒体アダプタ１０−１〜１０−４のそれぞれを収容したときの感熱テープ４２の幅方向の中心位置ＴＣを一致させることが可能となる。
【００８３】
ところが、感熱テープ４２の幅方向の中心位置ＴＣを一致させるよう媒体アダプタ１０−１〜１０−４を印刷装置１に収容した（装着した）場合、蓋４の内面４ａから各媒体アダプタ１０−１〜１０−４までの距離Ｇ１〜Ｇ４は、異なる値となる。具体的には、収容する被印刷媒体４０が有する感熱テープ４２のテープ幅が広い媒体アダプタほど、蓋４の内面４ａから媒体アダプタまでの距離が短くなる。
【００８４】
本実施形態の印刷装置１は、上記のように、媒体アダプタ１０のヒレ部２９ａ，２９ｂを支持する支持部２０１，２０２，４０１，４０２とは別に、蓋４の内面４ａ側から媒体アダプタ１０に押圧荷重を印加する押圧部４０３が設けられている（図３を参照）。押圧部４０３は、押さえ部４０３ｂから蓋４の内面４ａまでの距離が短くなることにより応力発生部４０３ｃが発生する応力（弾性復元力）を、押圧荷重として媒体アダプタ１０に印加する。応力発生部４０３ｃが発生する応力は、押さえ部４０３ｂから蓋４の内面４ａまでの距離が短くなるほど大きくなる。
【００８５】
図７は、蓋４の内面４ａから媒体アダプタにおける押圧荷重を受ける面までの距離と媒体アダプタに印加される押圧荷重との関係を説明する図である。
【００８６】
図７に示したように、媒体アダプタ１０−１と媒体アダプタ１０−３とは、それぞれ、収容された被印刷媒体４０が有する感熱テープ４２の幅が異なる。媒体アダプタ１０−３に収容された感熱テープ４２の幅は、媒体アダプタ１０−１に収容された感熱テープ４２の幅よりも広い。また、媒体アダプタ１０−１と媒体アダプタ１０−３とは、それぞれ、アダプタ収容部２ａの底面２ｂから感熱テープ４２の幅方向の中心位置ＴＣまでの距離が一致するよう印刷装置１に収容される。このため、媒体アダプタ１０−１，１０−３の厚さ方向（ｚ方向）における端面のうちの蓋４の内面４ａと対向する端面で押圧荷重を受ける場合には、次のようになる。媒体アダプタ１０−３における押圧荷重を受ける面から蓋４の内面４ａまでの距離は、媒体アダプタ１０−１における押圧荷重を受ける面から蓋４の内面４ａまでの距離よりも短くなる。よって、媒体アダプタ１０−３を印刷装置１に収容した場合の押圧部４０３の基部４０３ａから蓋４の内面４ａまでの距離Ｈ３は、媒体アダプタ１０−１を印刷装置１に収容した場合の押圧部４０３の基部４０３ａから蓋４の内面４ａまでの距離Ｈ１よりも短くなる。
【００８７】
押圧部４０３の応力発生部４０３ｃは、上記のように、基部４０３ａから蓋４の内面４ａまでの距離が短いほど発生する応力（弾性復元力）が大きくなる。したがって、媒体アダプタ１０−３を印刷装置１に収容した場合に応力発生部４０３ｃにおいて発生する応力Ｆ３は、媒体アダプタ１０−１を印刷装置１に収容した場合に応力発生部４０３ｃにおいて発生する応力Ｆ１よりも大きくなる。また、押圧部４０３の応力発生部４０３ｃにおいて発生した応力が大きいほど、押さえ部４０３ｂが媒体アダプタ１０に印加する押圧荷重は大きくなる。よって、媒体アダプタ１０−３を印刷装置１に収容した場合に媒体アダプタ１０−３に印加される押圧荷重Ｐ３は、媒体アダプタ１０−１を印刷装置１に収容した場合に媒体アダプタ１０−１に印加される押圧荷重Ｐ１よりも大きくなる。
【００８８】
また、図示は省略するが、図６に示した媒体アダプタ１０−２に印加される押圧荷重は、媒体アダプタ１０−１に印加される押圧荷重Ｐ１よりも大きく、媒体アダプタ１０−３に印加される押圧荷重Ｐ３よりも小さい値となる。また、図６に示した媒体アダプタ１０−４に印加される押圧荷重は、媒体アダプタ１０−３に印加される押圧荷重Ｐ３よりも更に大きくなる。このように、収容した被印刷媒体４０が有する感熱テープ４２の幅に応じて媒体アダプタ１０−１〜１０−４に印加される押圧荷重が異なる場合、例えば、以下のようなことが起こる可能性がある。すなわち、感熱テープ４２の幅が狭い媒体アダプタ１０−１を印刷装置１に収容した場合、媒体アダプタ１０−１に印加される押圧荷重が小さいため、印刷時の振動等により媒体アダプタ１０−１の位置が不安定となり、印字不良が起こる可能性がある。また、感熱テープ４２の幅が広い媒体アダプタ１０−４を印刷装置１に収容した場合、媒体アダプタ１０−４に印加される押圧荷重が大きくなるため、蓋４を閉じる際により大きい力が必要になる。また、媒体アダプタ１０−４を印刷装置１に収容した場合には、蓋４のロックを解除したときに、押圧荷重に対する強い反発力により蓋４が跳ね上がる可能性がある。
【００８９】
以上のようなことから、収容する被印刷媒体４０が有する感熱テープ４２の幅が異なる複数種類の媒体アダプタ１０−１〜１０−４のそれぞれを印刷装置１に収容したときに各アダプタ１０−１〜１０−４のそれぞれに印加される応力荷重は、同一になるようにすることが好ましい。
【００９０】
図８は、一実施形態に係る媒体アダプタ１０−１〜１０−４における荷重受け部の構成を説明する図である。
【００９１】
図８には、収容する感熱テープ４２のテープ幅が異なる複数種類の媒体アダプタ１０の例として、４個の媒体アダプタ１０−１〜１０−４を例示している。図８に示した媒体アダプタ１０−１〜１０−４は、それぞれ、図６に示した媒体アダプタ１０−１〜１０−４と対応している。なお、図８では、各媒体アダプタ１０−１〜１０−４における荷重受け部に押圧荷重を印加する、押圧部４０３を省略している。
【００９２】
印刷装置１に媒体アダプタ１０−１〜１０−４のそれぞれを収容する（装着する）場合、図８に示すように、アダプタ収容部２ａの底面２ｂから感熱テープ４２における幅方向の中心位置ＴＣまでの距離が所定の距離ＤＣとなるよう収容する。この場合、媒体アダプタ１０−１〜１０−４のそれぞれにおける厚さ方向（ｚ方向）の端面のうちの蓋４の内面４ａと対向する端面は、それぞれ、蓋４の内面４ａからの距離が異なる。
【００９３】
このような媒体アダプタ１０−１〜１０−４の収容形態において、各媒体アダプタ１０−１〜１０−４に同一の押圧荷重が印加されるようにするには、各媒体アダプタ１０−１〜１０−４のそれぞれにおける荷重受け部から蓋４の内面４ａまでの距離を等しくすればよい。このため、本実施形態では、図８に示したように、テープ幅が最小ではない媒体アダプタ１０−２〜１０−４のそれぞれにおける端面のうちの押圧部４０３から押圧荷重を受ける領域に凹部を設け、該凹部の底面Ｒ２〜Ｒ４を荷重受け部とする。媒体アダプタ１０−２〜１０−４のそれぞれに設ける凹部は、媒体アダプタ１０−２〜１０−４のそれぞれを印刷装置１に収容したときに、凹部の底面（荷重受け部）Ｒ２〜Ｒ４から蓋４の内面４ａまでの距離が等しくなる深さにする。
【００９４】
図８に示した媒体アダプタ１０−１〜１０−４は、それぞれ、収容した被印刷媒体４０が有する感熱テープ４２の幅方向の中心位置ＴＣがアダプタ収容部２ａの底面２ｂから距離ＤＣの位置となるように印刷装置１に収容される。このため、媒体アダプタ１０−１〜１０−４を印刷装置１に収容した状態では、感熱テープ４２の幅が最も狭い媒体アダプタ１０−１における押圧荷重を受ける端面から蓋４の内面４ａまでの距離Ｇ１が最も長くなる。このため、媒体アダプタ１０−２〜１０−４のそれぞれには、底面（荷重受け部）Ｒ２〜Ｒ４から蓋４の内面４ａまでの距離が、媒体アダプタ１０−１における厚さ方向の端面のうちの蓋４の内面４ａと対向する端面までの距離Ｇ１と一致するような深さの凹部を設ける。
【００９５】
すなわち、媒体アダプタ１０−２における蓋４の内面４ａと対向する端面には、媒体アダプタ１０−１における端面から内面４ａまでの距離Ｇ１と、媒体アダプタ１０−２における端面から内面４ａまでの距離Ｇ２との差に相当する深さの凹部を設ける。また、媒体アダプタ１０−３における蓋４の内面４ａと対向する端面には、媒体アダプタ１０−１における端面から内面４ａまでの距離Ｇ１と、媒体アダプタ１０−３における端面から内面４ａまでの距離Ｇ３との差に相当する深さの凹部を設ける。更に、媒体アダプタ１０−４における蓋４の内面４ａと対向する端面には、媒体アダプタ１０−１における端面から内面４ａまでの距離Ｇ１と、媒体アダプタ１０−４における端面から内面４ａまでの距離Ｇ４との差に相当する深さの凹部を設ける。
【００９６】
なお、図８に示した例では、媒体アダプタ１０−２〜１０−４のそれぞれに設ける凹部の深さを、蓋４の内面４ａからの距離とは別の値によって規定することも可能である。例えば、媒体アダプタ１０−２〜１０−４のそれぞれにおける蓋４の内面４ａと対向する端面に設ける凹部の深さは、感熱テープ４２の幅方向の中心位置ＴＣと凹部底面との位置関係によって規定することも可能である。すなわち、媒体アダプタ１０−２〜１０−４のそれぞれには、感熱テープ４２の幅方向の中心位置ＴＣから距離Ｇｃｒだけ蓋４の内面４ａと対向する端面側となる位置が底面（荷重受け部）Ｒ２〜Ｒ４となる深さの凹部を設けると言い換えることも可能である。ここで、距離Ｇｃｒは、テープ幅が最小である媒体アダプタ１０−１に収容された被印刷媒体４０が有する感熱テープ４２の幅方向の中心位置から、媒体アダプタ１０−１における蓋４の内面と対向した端面（アダプタ蓋３０側の端面）までの距離である。
【００９７】
また、図８に示した例では、媒体アダプタ１０−１〜１０−４のそれぞれが、感熱テープ４２の幅方向の中心位置ＴＣを一致させる態様で印刷装置１に収容される。しかしながら、媒体アダプタ１０−１〜１０−４の収容形態は、これに限定されない。例えば、媒体アダプタ１０−１〜１０−４は、感熱テープ４２の幅方向における一方の端部の位置を一致させる態様で印刷装置１に収容されてもよい。この場合、媒体アダプタ１０−２〜１０−４のそれぞれには、感熱テープ４２における印刷装置１内での位置を一致させる端部から媒体アダプタ１０−１における押圧荷重を受ける面までの距離と対応した位置に底面Ｒ２〜Ｒ４を有する凹部を設ける。
【００９８】
図９は、凹形状の底面Ｒ３を荷重受け部とする媒体アダプタ１０−３が受ける押圧荷重を説明する図である。
【００９９】
図９に示したように、媒体アダプタ１０−１と媒体アダプタ１０−３とは、それぞれ、収容された被印刷媒体４０が有する感熱テープ４２の幅が異なる。媒体アダプタ１０−３に収容された感熱テープ４２の幅は、媒体アダプタ１０−１に収容された感熱テープ４２の幅よりも広い。また、媒体アダプタ１０−１と媒体アダプタ１０−３とは、それぞれ、アダプタ収容部２ａの底面２ｂから感熱テープ４２の幅方向の中心位置ＴＣまでの距離が一致するよう印刷装置１に収容される。ただし、媒体アダプタ１０−３は、蓋４の内面４ａと対向する端面（アダプタ蓋３０の端面）のうちの押圧部４０３から押圧荷重を受ける領域を含む凹部を設け、該凹部の底面Ｒ３を荷重受け部としている。媒体アダプタ１０−３の凹部は、上記のように、感熱テープ４２の幅方向の中心位置ＴＣから距離Ｇｃｒだけ蓋４の内面４ａと対向する端面側となる位置が底面Ｒ３となる深さで設けてある。このため、媒体アダプタ１０−３を印刷装置１に収容したときの蓋４の内面４ａから凹部の底面（荷重受け部）Ｒ３までの距離は、媒体アダプタ１０−１を印刷装置１に収容したときの蓋４の内面４ａから媒体１０−１における荷重受け部までの距離と略一致する。
【０１００】
すなわち、凹部の底面Ｒ３を荷重受け部とする媒体アダプタ１０−３を印刷装置１に収容した場合の押圧部４０３の基部４０３ａから蓋４の内面４ａまでの距離は、媒体アダプタ１０−１を印刷装置１に収容した場合の押圧部４０３の基部４０３ａから蓋４の内面４ａまでの距離Ｈ１と略一致する。このため、凹部の底面Ｒ３を荷重受け部とする媒体アダプタ１０−３を印刷装置１に収容した場合に押圧部４０３の応力発生部４０３ｃにおいて発生する応力は、媒体アダプタ１０−１を印刷装置１に収容した場合に応力発生部４０３ｃにおいて発生する応力Ｆ１と略一致する。よって凹部の底面Ｒ３を荷重受け部とする媒体アダプタ１０−３を印刷装置１に収容した場合に媒体アダプタ１０−３に印加される押圧荷重は、媒体アダプタ１０−１を印刷装置１に収容した場合に媒体アダプタ１０−１に印加される押圧荷重Ｐ１と略一致する。
【０１０１】
また、図示は省略するが、図８に示した媒体アダプタ１０−２，１０−４のそれぞれに印加される押圧荷重は、媒体アダプタ１０−１に印加される押圧荷重Ｐ１と略一致する。このように、厚さ方向の異なる複数種類の媒体アダプタ１０−１〜１０−４を印刷装置１に収容したときに各媒体アダプタ１０−１〜１０−４に印加される押圧荷重を略一致させることができれば、各媒体アダプタ１０−１〜１０−４に対して適切な押圧荷重を印加することが可能となる。よって、例えば、媒体アダプタ１０−１に印加される押圧荷重が不十分であることによる印字不良を防ぐことが可能となる。また、例えば、感熱テープ４２の幅が広い媒体アダプタ１０−４に必要以上の大きさの押圧荷重が印加されることによる蓋４のロックを解除したときの蓋４の跳ね上がりを防ぐことが可能となる。
【０１０２】
媒体アダプタ１０−２〜１０−４の端面に荷重受け部としての凹部を設ける場合、該凹部の形状は、底面Ｒ２〜Ｒ４において押圧部４０３による押圧荷重を適切に受けることが可能な範囲において、適宜変更可能である。ただし、蓋４を閉じる際には、押圧部４０３の押さえ部４０３ｂが円弧状の軌道に沿って回動しながら凹部の底面Ｒ２〜Ｒ４に接近し当接する。このため、凹部の形状は、押圧部４０３の押さえ部４０３ｂにおける押圧荷重を印加する面よりも広い底面を有するすり鉢状とすることが好ましい。
【０１０３】
図１０は、アダプタ蓋３０に荷重受け部として設ける凹部の形状を示す部分断面斜視図である。図１１は、媒体アダプタ１０−２〜１０−４のそれぞれに設ける凹部の形状の特徴を説明する図である。
【０１０４】
図８に示した媒体アダプタ１０−１〜１０−４は、それぞれ、厚さ方向におけるアダプタ本体２０側の端面がアダプタ収容部２ａの底面２ｂと対向し、アダプタ蓋３０側の端面が蓋４の内面４と対向する向きで印刷装置１に収容される（図３を参照）。このため、媒体アダプタ１０−２〜１０−４を印刷装置１に収容した場合、押圧部４０３の押さえ部４０３ｂは、アダプタ蓋３０に当接して押圧荷重を印加する。このため、荷重受け部としての凹部は、図１０に示すように、アダプタ蓋３０に設ける。図１０には、媒体アダプタ１０−２のアダプタ蓋３０に設ける荷重受け部としての凹部を示している。図１０に示すように、媒体アダプタ１０−２のアダプタ蓋３０に設ける凹部は、底面Ｒ２が半径Ｌ０の円形であり、蓋４の内面４ａと対向する端面における開口端が半径Ｌ２（＞Ｌ０）の円形であるすり鉢状の凹部とすることが好ましい。
【０１０５】
また、媒体アダプタ１０−３に設ける凹部は、図１１に示すように、媒体アダプタ１０−２の凹部における底面Ｒ２と同一形状同一寸法の底面Ｒ３と、媒体アダプタ１０−２の凹部における傾斜面Ｓ２と同じ角度θの傾斜面Ｓ３とを有するすり鉢状にする。同様に、媒体アダプタ１０−４に設ける凹部は、図１１に示すように、媒体アダプタ１０−２の凹部における底面Ｒ２と同一形状同一寸法の底面Ｒ４と、媒体アダプタ１０−２の凹部における傾斜面Ｓ２と同じ角度θの傾斜面Ｓ４とを有するすり鉢状にする。すなわち、媒体アダプタ１０−２〜１０−４のそれぞれに設ける荷重受け部としての凹部は、底面を同一形状同一寸法とし、傾斜面（側面）を同一角度とすることが好ましい。
【０１０６】
すり鉢状の凹部が設けられた媒体アダプタ１０−２〜１０−４を印刷装置１のアダプタ収容部２ａに収容して蓋４を閉めると、図１１に示したように、押圧部４０３の基部４０３ａ及び押さえ部４０３ｂは、円弧状の軌道に沿って回動しながら凹部の底面Ｒ２〜Ｒ４に接近する。また、蓋４を開く際には、押さえ部４０３ｂは、円弧状の軌道に沿って会同しながら、凹部の底面Ｒ２〜Ｒ４から離間する。このため、例えば、荷重受け部としての凹部が円柱状の凹部空間が区画される形状である場合には、押さえ部４０３ｂの先端部が凹部の開口端と接触し、押さえ部４０３の変形等により適切な押圧荷重を印加することができなくなる可能性がある。
【０１０７】
これに対し、図１０及び図１１のようなすり鉢状の凹部を設けた場合、押さえ部４０３ｂの軌道に基づいて、傾斜面Ｓ２〜Ｓ４の角度θを、凹部の開口端と押さえ部４０３ｂとの接触を回避可能な角度にすることが可能となる。よって、凹部をすり鉢状することにより、蓋４を開閉する際の押さえ部４０３と凹部の開口端との接触を回避することが可能となり、蓋４の開閉をスムーズに行うことが可能となる。また、凹部をすり鉢状することにより、蓋４を開閉する際の押さえ部４０３と凹部の開口端との接触を回避することが可能となるため、押さえ部４０３ｂの変形等による荷重受け部に印加される押圧荷重の変化を抑制することが可能となる。このため、荷重受け部としての凹部をすり鉢状とすることにより、適切な押圧荷重を印加することが可能となる。
【０１０８】
以上のように、本実施形態の印刷装置１によれば、媒体アダプタ１０を収容した状態で蓋４を閉じたときに、蓋４の内面４ａに設けた押圧部４０３が媒体アダプタ１０に押圧荷重を印加する。このため、例えば、アダプタ収容部２ａ内に収容した媒体アダプタ１０の、感熱テープ４２の幅方向における位置の変動を抑制し、感熱テープ４２の幅方向の位置が不安定になることによる印字不良を防ぐことが可能となる。
【０１０９】
また、開閉可能な媒体アダプタ１０を印刷装置１に収容する際に、厚さ方向におけるアダプタ蓋３０側の端面を蓋４の内面４ａと対向させることにより、蓋４を閉じたときに押圧部４０３によりアダプタ蓋３０に対し押圧荷重を印加することが可能となる。このため、例えば、アダプタ収容部２ａに媒体アダプタ１０を収容したときにアダプタ蓋３０を閉じ忘れた状態、或いはフック部３２とフック受け部２８との係合が不完全な状態であっても、蓋４を閉じたときにアダプタ蓋３０に印加される押圧荷重によりアダプタ蓋３０を確実に閉じることが可能となる。更に、閉じた状態であるアダプタ蓋３０は、フック部３２に設けた爪部３２ｂ，３２ｃとフック受け部２８との係合により、アダプタ蓋３０は閉じた状態に保持される。そして、爪部３２ｂ，３２ｃとフックとの係合は、アダプタ蓋３０が開く方向とは異なる方向にフック部３２を移動させることにより解除される。このため、蓋４を閉じて媒体アダプタ１０のアダプタ蓋３０を閉じた場合には、その後、蓋４を開いてもアダプタ蓋３０が閉じた状態で保持される。
【０１１０】
また、本実施形態の印刷装置１は、収容に適した被印刷媒体４０（感熱テープ４２）のテープ幅が異なる複数種類の媒体アダプタ１０を収納可能である。印刷装置１に収容可能な複数種類の媒体アダプタ１０は、それぞれ、感熱テープ４２の幅方向における所定の位置（例えば、幅方向の中心位置）がアダプタ収容部２ａ内における媒体アダプタ１０の厚さ方向で同じ位置となるよう印刷装置１に収容される。そして、本実施形態における複数種類の媒体アダプタ１０は、それぞれ、収容した感熱テープ４２の幅方向における所定の位置から媒体アダプタ１０における押圧部４０３から押圧荷重を受ける荷重受け部までの距離が同一の距離となっている。このため、媒体アダプタ１０毎に、印刷装置１に収容されたときの厚さ方向における端面のうちの蓋４の内面４ａと対向する端面から内面４ａまでの距離が異なる場合にも、各媒体アダプタ１０に略同一の押圧荷重を印加することが可能となる。したがって、収容に適した被印刷媒体４０のテープ幅が異なる複数種類の媒体アダプタ１０のそれぞれに対し、同一の、適切な押圧荷重を印加することが可能となる。よって、例えば、荷重が不十分で媒体アダプタ１０の位置が不安定になることによる印字不良を防ぐことや、必要以上の押圧荷重が印加された状態で蓋４のロックを解除したときの蓋４の跳ね上げを防ぐことが可能となる。
【０１１１】
また、押圧部４０３押圧荷重を受ける部位に凹部を設けることで、収容に適したテープ幅が異なる複数種類の媒体アダプタ１０のそれぞれに同一の押圧荷重を印加する場合、荷重を受ける底面Ｒ２〜Ｒ４の形状及び寸法、並びに傾斜面の角度θが同一のすり鉢状の凹部とすることが好ましい。凹部のすり鉢状とすることで、蓋４を開閉する際の押圧部４０３と凹部の開口端との接触を回避し、押圧部４０３の押さえ部４０３ｂの変形等を防ぐことが可能となる。
【０１１２】
上述した実施形態は、発明の理解を容易にするために具体例を示したものであり、本発明はこれらの実施形態に限定されるものではない。媒体アダプタ１０は、特許請求の範囲の記載を逸脱しない範囲において、様々な変形、変更が可能である。
【０１１３】
例えば、図４及び図５に示した媒体アダプタ１０は、本実施形態に係る媒体アダプタ１０の一例に過ぎない。媒体アダプタ１０におけるアダプタ本体２０及びアダプタ蓋３０の構成は、本実施形態の要旨を逸脱しない範囲において適宜変更可能である。例えば、アダプタ蓋３０を閉じた状態で保持するための構成は、図４及び図５に示したアダプタ蓋３０のフック部３２とアダプタ本体２０のフック受け部２８との組み合わせに限らず、他の形状、他の係合態様であってもよい。また、例えば、アダプタ本体２０の底面２２ａのリブ２５、及びアダプタ蓋３０の底面３３ａのリブ３５は、それぞれ、放射状に限らず、別のパターンであってもよい。
【０１１４】
更に、媒体アダプタ１０に収容する被印刷媒体４０は、例えば、アテンションシート４４を含まない被印刷媒体などであってもよい。
【０１１５】
また、上述した実施形態では、入力部３と表示部６を有する印刷装置１を例示したが、上述した実施形態に係る媒体アダプタ１０に収納された感熱テープ（テープ）４２に印刷を行う印刷装置は、入力部や表示部を有しなくてもよい。例えば、コンピュータなど、印刷装置とは別の電子機器から印刷データが入力されても良い。
【０１１６】
以下、本願の出願当初の特許請求の範囲に記載された発明を付記する。
［付記１］
長手方向に巻かれたテープを含む被印刷媒体を収容した媒体アダプタから供給される前記テープに印刷を行う印刷装置であって、
前記媒体アダプタを収容可能なアダプタ収容部を有する装置筐体と、
前記アダプタ収容部を開閉可能な態様で前記装置筐体に取り付けられた蓋とを備え、
前記蓋は、閉じているときに前記媒体アダプタと対向する面に、前記媒体アダプタに押圧荷重を印加する押圧部を有する、
ことを特徴とする印刷装置。
【０１１７】
［付記２］
付記１に記載の印刷装置において、
前記媒体アダプタは、
前記被印刷媒体を収容する媒体収容部を有するアダプタ本体と、前記アダプタ本体の前記媒体収容部を開閉可能な態様で前記アダプタ本体に取り付けられたアダプタ蓋とを含み、
前記押圧部は、前記アダプタ蓋に押圧荷重を印加する
ことを特徴とする印刷装置。
【０１１８】
［付記３］
付記１又は付記２に記載の印刷装置において、
前記アダプタ収容部は、前記媒体アダプタに収容された前記テープにおける幅方向の所定の位置が、複数種類の前記媒体アダプタのそれぞれを収納したときに前記アダプタ収容部内において前記テープの幅方向で同一の位置となるよう前記媒体アダプタを支持する支持部を有する、
ことを特徴とする印刷装置。
【０１１９】
［付記４］
付記１乃至付記３の何れかに記載の印刷装置において、
前記収容部は、
収容する前記被印刷媒体に含まれる前記テープの幅が異なり、かつ収容した前記テープの幅方向となる方向の外形寸法が異なる複数種類の前記媒体アダプタを収容可能な凹形状を有する、
ことを特徴とする印刷装置。
【０１２０】
［付記５］
付記４に記載の印刷装置において、
前記蓋の前記押圧部は、前記媒体アダプタに収容された前記テープにおける幅方向の所定の位置からの距離が、前記複数種類の媒体アダプタのそれぞれで同一の距離となる前記媒体アダプタの部位に設けられた荷重受け部と当接して前記押圧荷重を前記媒体アダプタに印加する、
ことを特徴とする印刷装置。
【０１２１】
［付記６］
付記４又は付記５に記載の印刷装置において、
前記アダプタ収容部は、前記媒体アダプタに収容された前記テープにおける幅方向の中心位置が、前記複数種類の媒体アダプタのそれぞれを収納したときに前記アダプタ収容部内において前記テープの幅方向で同一の位置となるように前記媒体アダプタを支持する支持部を更に備える、
ことを特徴とする印刷装置。
【０１２２】
［付記７］
付記４乃至付記６の何れかに記載の印刷装置において、
前記押圧部は、
前記アダプタ収容部に収容された前記媒体アダプタが、前記複数種類の媒体アダプタのうちの幅が最も狭い前記テープを収容する媒体アダプタを除く他の媒体アダプタである場合、前記媒体アダプタに設けられた凹部の底面と当接して前記媒体アダプタに押圧荷重を印加する
ことを特徴とする印刷媒体。
【０１２３】
［付記８］
付記１乃至付記７の何れかに記載の印刷装置において、
前記蓋は、前記蓋の内面と前記装置筐体の前記アダプタ収容部の底面との角度が変更する態様で前記装置筐体に回転自在に取り付けられている、
ことを特徴とする印刷装置。
【０１２４】
［付記９］
付記２に記載の印刷装置であって、
前記媒体アダプタは、前記アダプタ蓋が、前記アダプタ本体の前記底面と、前記アダプタ蓋を閉じたときに前記アダプタ本体の前記底面と対向する内面との角度が変更される態様で回転自在に前記アダプタ本体に取り付けられており、
前記押圧部は、前記媒体アダプタに収容された前記被印刷媒体から見て前記アダプタ蓋の回転の支点となる位置とは反対側の位置に設定された荷重受け部と当接して押圧荷重を印加する
ことを特徴とする印刷装置。
【０１２５】
［付記１０］
付記１に記載の印刷装置に装着して印刷用のテープを供給するための媒体アダプタであって、
前記テープを含む被印刷媒体を収容する媒体収容部を有するアダプタ本体と、
前記アダプタ本体の前記媒体収容部を開閉可能な態様で前記アダプタ本体に取り付けられたアダプタ蓋とを備え、
前記アダプタ蓋は、前記媒体アダプタを収容する前記印刷装置が備える前記押圧部からの押圧荷重を受ける荷重受け部を有する、
ことを特徴とする媒体アダプタ。
【０１２６】
［付記１１］
付記１０に記載の媒体アダプタであって、
前記アダプタ蓋は、
前記アダプタ本体の前記媒体収容部の底面と、前記アダプタ蓋を閉じたときに前記アダプタ本体の前記媒体収容部の底面と対向する内面との角度が変更される態様で回転自在に前記アダプタ本体に取り付けられている、
ことを特徴とする媒体アダプタ。
【０１２７】
［付記１２］
付記１１に記載の媒体アダプタであって、
前記アダプタ蓋は、
前記内面の端部となる位置に設けられ、前記内面の面内中心側に移動可能であり、かつ移動させた場合に弾性復元力が生じるフック部と、前記内面の裏面であって前記フック部と前記内面の面内中心との間となる位置に設けられている、
ことを特徴とする媒体アダプタ。
【０１２８】
［付記１３］
付記１２に記載の媒体アダプタであって、
前記アダプタ本体は、前記印刷装置に収容したときに、該印刷装置に設けられた前記テープの幅方向における前記媒体アダプタの位置を定める支持部と当接するヒレ部と、前記アダプタ蓋を閉じたときに前記フック部と対応する位置に設けられたフック受け部を有し、
前記アダプタ蓋の前記フック部と前記アダプタ本体の前記フック受け部とは、前記アダプタ蓋が閉じた状態である場合には前記アダプタ蓋が開く方向への前記アダプタ蓋の移動を規制する態様で係合し、かつ前記アダプタ蓋の前記フック部を前記内面の面内中心側に移動させることで係合が解除されるよう構成されている
ことを特徴とする媒体アダプタ。
【０１２９】
［付記１４］
付記１０乃至付記１３の何れかに記載の媒体アダプタにおいて、
前記アダプタ本体と前記アダプタ蓋とは、収容する前記被印刷媒体における前記テープの幅方向の端部のうちの一方の端部側の側面が前記アダプタ本体の底面と対向し、前記被印刷媒体における他方の端部側の側面が前記アダプタ蓋の内面と対向した状態で前記被印刷媒体を収容するよう構成されており、
前記媒体アダプタは、前記印刷装置において印刷を行うことが可能な、前記テープの幅が異なる複数種類の被印刷媒体のうちの所定の幅の被印刷媒体を収容するよう構成されており、
前記複数種類の被印刷媒体のうちの、幅が最も狭い被印刷媒体とは異なる他の被印刷媒体を収容する前記媒体アダプタは、前記アダプタ蓋における前記内面の裏面であって前記押圧部から押圧荷重を受ける領域に凹部が設けられており、
前記凹部が設けられ、かつテープの幅が異なる被印刷媒体を収容する複数の前記媒体アダプタは、前記凹部の底面の形状及び寸法が同一であり、深さが異なる
ことを特徴とする媒体アダプタ。
【０１３０】
［付記１５］
付記１４に記載の媒体アダプタであって、
前記凹部が設けられ、かつテープの幅が異なる被印刷媒体を収容する複数の前記媒体アダプタは、収容する前記被印刷媒体が有する前記テープにおける幅方向の中心位置から前記凹部の底面までの距離が同一である
ことを特徴とする媒体アダプタ。
【符号の説明】
【０１３１】
１・・・印刷装置、２・・・装置筐体、２ａ・・・アダプタ収容部、２ｂ・・・（アダプタ収容部２ａの）底面、２０１，２０２・・・支持部、３・・・入力部、４・・・蓋、４ａ・・・（蓋４の）内面、４ｒ・・・ボタン、４０１，４０２・・・支持部、４０３・・・押圧部、４０３ａ・・・基部、４０３ｂ・・・押さえ部、４０３ｃ・・・応力発生部、５・・・窓、６・・・表示部、７・・・プラテンローラ、８・・・サーマルヘッド、１０，１０−１〜１０−４・・・媒体アダプタ、２０・・・アダプタ本体、２０ａ，２０ｂ・・・領域、２１・・・ガイド、２１ａ・・・第１の規制面、２１ｂ・・・第２の規制面、２２，３３・・・媒体収容部、２２ａ，３３ａ・・・底面、２３・・・媒体支持部、２３ａ・・・第１の支持部、２３ｂ・・・第２の支持部、２３ｃ・・・先端面、２４・・・テープ繰出溝、２５，３５・・・リブ、２７・・・蓋支持部、２８・・・フック受け部、２９ａ，２９ｂ・・・ヒレ部、３０・・・アダプタ蓋、３１・・・回転支点部、３２・・・フック部、３２ｂ，３２ｃ・・・爪部、４０，４０−１〜４０−４・・・被印刷媒体、４２・・・感熱テープ、４２ｂ，４２ｃ・・・端部、４３・・・バラけ防止シート、４４・・・アテンションシート、４４ａ・・・開口
【図１】
2019142062.tif 000003
【図２】
2019142062.tif 000004
【図３】
2019142062.tif 000005
【図４】
2019142062.tif 000006
【図５】
2019142062.tif 000007
【図６】
2019142062.tif 000008
【図７】
2019142062.tif 000009
【図８】
2019142062.tif 000010
【図９】
2019142062.tif 000011
【図１０】
2019142062.tif 000012
【図１１】
2019142062.tif 000013